(57)【要約】【課題】  水または風などの流体のエネルギーによって翼車を効率よく回転させることで、自然のエネルギーを電力エネルギーに変換する。【解決手段】  回転軸１の回りに複数配置された支持軸６にそれぞれ翼５を回転可能に支持するともに、その翼５の一方向の回転を制限するストッパー８を設ける。回転軸１を垂直にして回転翼車を水の流れの中に入れると、回転軸１より右側に位置する翼５はストッパー８に回転を制限された状態で水の流れの方向に対してほぼ垂直の姿勢になる。一方、回転軸１より左側に位置する翼は水の流れの方向にほぼ平行の姿勢となる。その結果、回転軸１の右側の翼５と左側の翼５とでは水の流れを受ける力にアンバランスが生じるため回転翼車は反時計方向に回転する。【選択図】図３
0003126958.tif 000002
【実用新案登録請求の範囲】
【請求項１】
回転軸１と、その回転軸１の回りに複数配置された支持軸６と、その支持軸６の各々に回転可能に支持された翼５とから構成され、
前記支持軸６は、前記回転軸１を取り囲むようにして設けられた円筒壁２に固定された天井板３及び底板４にそれぞれ設けられ、
前記翼５の支持軸６を中心とする回転は、翼５の先端部が前記円筒壁２に当たることによって制限されるようにした、
回転翼車。
【請求項２】
回転軸１と、その回転軸１の回りに複数配置された支持軸６と、その支持軸６の各々に回転可能に支持された翼５とから構成され、
前記支持軸６は、前記回転軸１を取り囲むようにして設けられた円筒壁２の上部及び下部を蓋するように固定された天井板３及び底板４にそれぞれ設けられ、
前記翼５の支持軸６を中心とする回転は、翼５の基端部が前記円筒壁上に形成された突起状のストッパー８に当たることによって制限されるようにした、
回転翼車。
【考案の詳細な説明】
【技術分野】
【０００１】  本考案は、風力、水力等の流体を利用し地球のもつ自然のエネルギーを動力化または電力化しようとする回転翼車に関する。
【背景技術】
【０００２】  風力や水力を利用し回転力を得ようとする技術は古くから行われていたが、効率上まだ改良の余地があると考えられている。それが証拠に風力発電用風車は何種類もある。本考案はその中の一つの改良を目指すものであり、風力、水力のもつエネルギーを現存の機器よりはるかに大きく引き出そうとするものである。【０００３】  例えば、従来は平野を流れる川の水の水力は発電用としては無視されてきたようには見受けられるが、水は空気の１０００倍以上の重量を持っているから、１ｍ３の水がある物体に向かって流れぶつかればその物体に対して１トンの力を及ぼしたことになる。したがって、平地を流れる水流を利用して水流をそのまま動力化することに成功すれば、大型風力発電塔にも勝る発電が簡便に出来ることになる。
【考案の開示】
【考案が解決しようとする課題】
【０００４】  今、地球温暖化が問題になっているが、それを防ぐ方法の一つとして、石油等の燃焼によるエネルギー取得をなるべく減らし、地球を汚さないクリーンなエネルギー獲得の方法を考えなければならない。この問題解決のための一方法として考案したのがこの回転翼車である。【０００５】  １本の回転軸の周りに複数の翼を放射状に複数取り付けることにより構成される回転翼車を水や空気などの流体の流れの中にその回転軸を垂直姿勢にして置くと、流体の流れの方向に対して回転軸の右側に位置する翼にあたった流体は回転翼車を反時計回転方向に回転させる力が生じる。一方、回転軸の左側に位置する翼にあたった流体はその回転翼車を時計回転方向に回転させる力が生じる。その結果、回転翼車にはそれを反時計回転方向に回転させる力と時計回転方向に回転させる力が同時に生じて、結局、回転翼車には回転力が生じないことになる。
【課題を解決するための手段】
【０００６】  回転翼車の上記の問題を解決するため、本考案では以下の手段を講じている。
回転翼車は、回転翼車を回転軸と、その回転軸の回りに複数配置された支持軸と、その支持軸の各々に回転可能に支持された翼とから構成する。
本考案による回転翼車の第１例では、翼を回転可能に支持する支持軸は、回転軸を取り囲むようにして設けられた円筒壁に固定された天井板及び底板にそれぞれ設けられる。そして、翼の支持軸を中心とする回転は、翼の先端部が円筒壁に当たることによって制限されるようにしている。
本考案による回転翼車の第２例では、前記支持軸は、回転軸を取り囲むようにして設けられた円筒壁の上部及び下部を蓋するように固定された天井板及び底板にそれぞれ設けられる。そして、翼の支持軸を中心とする回転は、翼の基端部が円筒壁上に形成された突起状のストッパーに当たることによって制限されるようにしている。
【考案の効果】
【０００７】  本考案によれば、現在稼動している水車や風車よりも簡単な装置でしかも電力消費地の近くで効率よく多大な電力を得ることができるようになり、炭酸ガスを防ぐことに貢献する。
【考案を実施するための最良の形態】
【０００８】  本考案による回転翼車は、一本の回転軸１と、その回転軸１を中心とする円の円周上を等間隔に複数配置された支持軸６と、その支持軸６の各々に回転可能に支持された翼５とから構成される。
前記支持軸６は、前記回転軸１を取り囲むようにして設けられた円筒壁２に固定された天井板３及び底板４にそれぞれ設けられる。そして、翼５の支持軸６を中心とする回転は、翼５の一部が前記円筒壁２または円筒壁２に設けたストッパー８に当たることによって制限されるようにしている。
この回転翼車を回転軸１を垂直にして水の流れの中に入れると、水の流れの方向に対して回転軸１より一方の側（例えば右側）に位置する翼５は、水の流れによって回転してすぐに円筒壁２またはストッパー８に回転を制限された状態となる。その状態での翼５は水の流れの方向に対してほぼ垂直の姿勢にあるので、水の流れの力を翼５の全面に受ける。一方、水の流れの方向に対して回転軸１より他方の側（例えば左側）に位置する翼５は、水の流れによって回転して水の流れとほぼ平行な姿勢となり、水の流れの力をほとんど受けない姿勢となる。【０００９】  その結果、水の流れの方向に対して回転軸１より右側に位置する翼５と左側に位置する翼５とでは水の流れを受ける力にかなりのアンバランスが生じ、その結果、回転翼車は回転軸を中心にいずれか一方の方向に回転することになる。この回転翼車は、翼５が内側に（すなわち、回転軸側１の方に向かって）回転するタイプと外側に向かって回転するタイプとがある。
【実施例１】
【００１０】  まず、本考案による回転翼車の第１例を図１及び図２を参照して説明する。
回転軸１にその回転軸１と同心に円筒壁２を固定する。さらに、この円筒壁２の上部及び下部に、それぞれ、円筒壁２の直径より大きな直径を有する円形の天井板３と底板４とを固定する。これら天井板３と底板４とは同じ直径の円板であって、それらは円筒壁２を上下に挟みこむように回転軸１と同心に固定される。さらに、これら天井板３と底板４との間には複数の翼５が支持軸６の回りを回転可能に取り付けられている。この翼５を回転可能に支持する支持軸６は、天井板３の外周縁及び底板４の外周縁に等間隔に複数本（図の例では８本）設けられて、翼５の基端部の上部及び下部をそれぞれ支持している。【００１１】  翼５の長さ（高さ）は天井板３から底板４までの距離に等しい。翼５の幅は天井板３（および底板４）の半径から円筒壁２の半径を引いた値よりもやや大きくしてある。そのため、基端部を支持軸６に取り付けられた翼５は支持軸６の周りを回転可能であっても３６０度回転することはできない。すなわち、翼５を支持軸６の周りに回転させるとその途中で必ず翼５の先端（自由端）が円筒壁２の表面に当たって、それ以上の回転が妨げられることになる。【００１２】  したがって、図１の回転翼車を流れのある水中（例えば川の中）に沈めると、水の流れの方向に対し回転軸１よりも一方の側（図１では右側）では水の流れによって翼５は回転軸１に向かって回動して翼５の先端が円筒壁２に当たってそれ以上の回転が妨げられる。その状態での翼５は水の流れの方向に対してほぼ垂直の姿勢となる。その結果、その姿勢の翼５は水の流れの力を翼５の面積全体で受け止めるので、回転翼車を回転軸１を中心に一方向（図１の例では反時計回転方向）に回転させる力が生じる。なお、翼５は、水の抵抗を受け易くするため、図１に示すように全体を湾曲させてもよい。【００１３】  一方、水の流れの方向に対し回転軸１よりも他方の側（図１では左側）では翼５は水の流れによって水の流れとほぼ平行な姿勢に置かれ、その結果、翼５は水の抵抗をほとんど受けない。そのため、この翼５は水の抵抗を受けて回転翼車を回転軸１を中心に他の方向（図１の例では時計回転方向）に回転させる力がほとんど生じない。【００１４】  以上の結果、水の流れの方向に対し回転軸１よりも一方の側（図１では右側）とそれと反対の側（図１では左側）では翼５が受ける水の流れの力に大きなアンバランスが生じ、その結果、翼５は回転軸１を中心に一方向（図１の例では反時計回転方向）に回転することになる。
【実施例２】
【００１５】  次に、本考案による回転翼車の第２例を図３及び図４を参照して説明する。
回転翼車は１本の回転軸１とその回転軸１の回りにその回転軸を中心とする円の円周上を等間隔に配置された複数の翼５とから構成される。【００１６】  回転翼車の回転軸１にその回転軸１と同心に円筒壁２を固定する。その円筒壁２の上下は直径が円筒壁２の直径とほぼ同じ大きさの天井板３と底板４とで塞がれている。さらに、その円筒壁２の外側面には複数の翼５が支持軸８の回りを回転可能に取り付けられている。この翼５を回転可能に支持する支持軸６は、天井板３の外周縁及び底板４の外周縁に等間隔に複数本（図の例では８本）設けられて、翼５の基端部の上部及び下部をそれぞれ支持している。【００１７】  翼５の長さ（高さ）は天井板３から底板４までの距離と等しい。ただし、この第２例では翼５の幅は図１（第１例）のような制限はない。【００１８】  円筒壁２の上部及び下部で支持軸６の近くには、その支持軸６で回転可能に支持された翼５の一方向（図３の例では反時計回転方向）の回転を制限するためのストッパー８が突出形成されている。【００１９】  したがって、図３の回転翼車を流れのある水中（例えば川の中）に沈めると、水の流れの方向に対し回転軸１よりも一方の側（図１では右側）では水の流れによって翼５は回転して翼５の基端部はストッパー８に当たってそれ以上の回転が妨げられる。その状態での翼５は水の流れの方向に対してほぼ垂直の姿勢となる。その結果、その姿勢の翼５は水の流れの力を翼５の面積全体で受け止めるので、回転翼車を回転軸１を中心に一方向（図１の例では反時計回転方向）に回転させる力が生じる。なお、翼５は、水の抵抗を受け易くするため、図１に示すように全体を湾曲させてもよい。【００２０】  一方、水の流れの方向に対し回転軸１よりも他方の側（図１では左側）では翼５は水の流れによって図４に示すように円筒壁２の外側面に重なるか、あるいは水の流れとほぼ平行な姿勢に置かれて、その結果、翼５は水の抵抗をほとんど受けない状態となる。そのため、この翼５は水の流れの中にあっても回転翼車を回転軸１を中心に他の方向（図３の例では時計回転方向）に回転させる力がほとんど生じない。【００２１】  以上の結果、水の流れの方向に対し回転軸１よりも一方の側（図１では右側）とそれと反対の側（図３では左側）では翼５の受ける水の抵抗に大きなアンバランスが生じ、その結果、翼５回転軸１を中心に一方向（図１の例では反時計回転方向）に回転することになる。
【産業上の利用可能性】
【００２２】  流れている水の中にこの回転軸１を垂直にして回転翼車を埋め込めば、回転翼車は回転し回転軸１からその回転軸１の上端に形成した回転力取り出し部７（図３では省略）を介して回転力を取り出すことができる。取り出した回転力から電力を発生させることができる。【００２３】  以上のように、本考案によれば、水のエネルギーによって回転翼車を効率よく回転させることで、自然のエネルギーを電力エネルギーに変換することができる。また、この回転翼車で風力を受けて回転させることでも自然のエネルギーを電力エネルギーに変換することができる。
【図面の簡単な説明】
【００２４】
【図１】  本考案の実施例１による回転翼車の斜視図であり、内部の構造を見せるため天井板（仮想線で示す）を取り外してある。
【図２】  図１の回転翼車の水平断面図である。
【図３】  本考案の実施例２による回転翼車の斜視図である。
【図４】  図３の回転翼車の水平断面図である。
【符号の説明】
【００２５】１    回転軸
２    円筒壁
３    天井板
４    床板
５    翼
６    支持軸
７    回転力取り出し部
８    ストッパー
【図１】
0003126958.tif 000003
【図２】
0003126958.tif 000004
【図３】
0003126958.tif 000005
【図４】
0003126958.tif 000006